(57)【要約】【課題】負荷に適した電圧で電力を供給することが可能なパワーコンディショナを提供する。【解決手段】負荷部および直流電力源に接続されるパワーコンディショナは、直流電力源からの直流電力が供給される直流バスと、直流バスからの直流電力を電力変換して、当該変換された電力を負荷部に供給可能に構成された電力変換装置と、負荷部への電力を制御する制御機器とを含む。制御機器は、負荷部の定格電圧を示す定格電圧情報を外部から受信するための受信手段と、受信手段によって受信された定格電圧情報に基づいて電力変換を行なうように電力変換装置に指示するための指示手段とを含む。【選択図】図１
2015073354.tif 000002
【特許請求の範囲】
【請求項１】
負荷部および直流電力源に接続されるパワーコンディショナであって、
前記直流電力源からの直流電力が供給される直流バスと、
前記直流バスからの直流電力を電力変換して、当該変換された電力を前記負荷部に供給可能に構成された電力変換装置と、
前記負荷部への電力を制御する制御機器とを備え、
前記制御機器は、
前記負荷部の定格電圧を示す定格電圧情報を外部から受信するための受信手段と、
前記受信手段によって受信された前記定格電圧情報に基づいて電力変換を行なうように前記電力変換装置に指示するための指示手段とを含む、パワーコンディショナ。
【請求項２】
前記直流電力源からの直流電力を電圧変換して前記直流バスに出力するための電圧変換部と、
前記直流バスと前記電力変換装置との間に設けられた第１の開閉器と、
前記直流バスと前記負荷部との間に設けられた第２の開閉器とをさらに備え、
前記制御機器は、
前記電圧変換部の出力電圧と、前記負荷部の前記定格電圧とが一致するか否かを判断するための判断手段と、
前記電圧変換部の出力電圧と前記負荷部の前記定格電圧とが一致する場合に、前記直流バスから前記電力変換装置を切り離すように前記第１の開閉器を制御し、前記第２の開閉器に前記直流バスと前記負荷部とを接続させるように前記第２の開閉器を制御する接続制御手段とをさらに含む、請求項１に記載のパワーコンディショナ。
【請求項３】
前記制御機器は、
ユーザ操作により前記負荷部の定格電圧情報の入力を受け付けるための入力手段と、
前記受信手段により受け付けられた定格電圧情報と、前記入力手段により受け付けられた定格電圧情報とが一致しているか否かを判断するための一致判断手段と、
前記受信手段により受け付けられた定格電圧情報と、前記入力手段により受け付けられた定格電圧情報とが一致しない場合に、エラーを報知するための報知手段とをさらに含む、請求項１に記載のパワーコンディショナ。
【請求項４】
前記パワーコンディショナは、他の負荷部をさらに接続可能に構成されており、
前記直流バスと前記他の負荷部との間に設けられ、前記直流バスからの直流電力を予め定められた電力に変換して、当該変換された電力を前記他の負荷部に供給可能に構成された他の電力変換装置をさらに備える、請求項１〜３のいずれか１項に記載のパワーコンディショナ。
【請求項５】
複数の負荷部と直流電力源との間に結合されたパワーコンディショナであって、
前記直流電力源からの直流電力が供給される直流バスと、
前記直流バスからの直流電力を電力変換して、当該変換された電力を第１の負荷部に供給可能に構成された第１の電力変換装置と、
前記直流バスからの直流電力を電力変換して、当該変換された電力を第２の負荷部に供給可能に構成された第２の電力変換装置と、
前記複数の負荷部への電力を制御するための制御機器とを備え、
前記制御機器は、
前記第１の負荷部の定格電圧を示す第１の定格電圧情報と、前記第２の負荷部の定格電圧を示す第２の定格電圧情報とを外部から受信するための受信手段と、
前記第１の定格電圧情報に基づいて電力変換を行なうように前記第１の電力変換装置に指示し、前記第２の定格電圧情報に基づいて電力変換を行なうように前記第２の電力変換装置に指示するための指示手段とを含む、パワーコンディショナ。
【発明の詳細な説明】
【技術分野】
【０００１】
本発明は、パワーコンディショナに関し、より特定的には、直流電力源が発電した電力を負荷に供給するパワーコンディショナに関する。
【背景技術】
【０００２】
近年、地球環境保護等の観点から環境への影響の少ない太陽光発電パネルと蓄電池とを備えた分散型電源システムが普及している。このような分散型電源システムでは、太陽光発電パネルで発電された直流電圧の電力が、パワーコンディショナにより交流電圧の電力に変換された後、負荷に供給されて消費されたり、商用電力系統に電力を逆潮流して売電されたりする。また、太陽光発電パネルで発電された電力を蓄電池に充電することにより、天候に左右されない安定的な電力の供給が行われる。たとえば、パワーコンディショナは、自立運転モードでは、太陽光発電パネルで発電された電力を交流電圧１００Ｖの電力に変換して負荷に供給する。
【０００３】
特許文献１（特開２００２−１４２４６０号公報）には、電力変換装置が開示されている。当該電力変換装置は、直流電源から入力される直流電圧を昇圧する昇圧回路と、昇圧回路から出力される直流電力を交流電力に変換するインバータ回路と、交流電力を出力する出力部と、出力部に接続されるユニットに基づき、昇圧回路およびインバータ回路の動作を制御する制御回路とを有する。
【先行技術文献】
【特許文献】
【０００４】
【特許文献１】特開２００２−１４２４６０号公報
【発明の概要】
【発明が解決しようとする課題】
【０００５】
特許文献１に開示された技術は、例えば、１００Ｖ用のコンセントユニットを使用して負荷を接続したときは、１００Ｖ用のコンセントユニットの種類に応じた制御信号を昇圧回路に送って１００Ｖを出力するように制御を行い、２００Ｖ用のコンセントユニットを使用して負荷を接続したときは、２００Ｖのコンセントユニットの種類に応じた制御信号を昇圧回路に送って２００Ｖを出力するように制御する。つまり、作業者（ユーザ）は、接続する負荷の電圧に応じたコンセントユニットを選択する必要があるため、選択し間違えると負荷の定格電圧を超えた電圧が負荷に印加されてしまい故障などが生じる可能性がある。また、作業者にはコンセントユニットを選択しなければならないという手間も発生する。
【０００６】
本発明は、上記のような問題点を解決するためになされたものであって、負荷に適した電圧で電力を供給することが可能なパワーコンディショナを提供することを目的とする。
【課題を解決するための手段】
【０００７】
ある実施の形態に従うと、負荷部および直流電力源に接続されるパワーコンディショナが提供される。パワーコンディショナは、直流電力源からの直流電力が供給される直流バスと、直流バスからの直流電力を電力変換して、当該変換された電力を負荷部に供給可能に構成された電力変換装置と、負荷部への電力を制御する制御機器とを含む。制御機器は、負荷部の定格電圧を示す定格電圧情報を外部から受信するための受信手段と、受信手段によって受信された定格電圧情報に基づいて電力変換を行なうように電力変換装置に指示するための指示手段とを含む。
【発明の効果】
【０００８】
負荷に適した電圧で電力を供給することが可能となる。
【図面の簡単な説明】
【０００９】
【図１】実施の形態１に従うパワーコンディショナが適用される電力供給システムの全体の構成を概略的に示す図である。
【図２】実施の形態１に従う電力変換器の概略構成の一例を示す図である。
【図３】実施の形態１に従う制御機器の機能ブロック図である。
【図４】実施の形態１に従う制御機器による制御を説明するためのフローチャートである。
【図５】実施の形態２に従うパワーコンディショナが適用される電力供給システムの全体の構成を概略的に示す図である。
【図６】実施の形態２に従う制御機器の機能ブロック図である。
【図７】実施の形態２に従う制御機器による制御を説明するためのフローチャートである。
【図８】実施の形態３に従うパワーコンディショナが適用される電力供給システムの全体の構成を概略的に示す図である。
【図９】実施の形態３に従う制御機器の機能ブロック図である。
【図１０】実施の形態３に従う制御機器による制御を説明するためのフローチャートである。
【図１１】実施の形態４に従う制御機器による制御を説明するためのフローチャートである。
【図１２】実施の形態５に従うパワーコンディショナが適用される電力供給システムの全体の構成を概略的に示す図である。
【図１３】実施の形態６に従うパワーコンディショナが適用される電力供給システムの全体の構成を概略的に示す図である。
【図１４】実施の形態７に従うパワーコンディショナが適用される電力供給システムの全体の構成を概略的に示す図である。
【図１５】実施の形態７に従う制御機器による制御を説明するためのフローチャートである。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
＜全体構成＞
図１は、実施の形態１に従うパワーコンディショナが適用される電力供給システム１０００の全体の構成を概略的に示す図である。
【００１２】
図１を参照して、電力供給システム１０００は、パワーコンディショナ１０と、太陽電池２０と、蓄電装置３０と、家電機器４０とを含む。電力供給システム１０００は、たとえば、住宅やオフィスなどの家屋内に設置される。
【００１３】
パワーコンディショナ１０は、太陽電池２０が発電した直流電力を電力変換して蓄電装置３０に供給することが可能に構成されている。なお、パワーコンディショナ１０は、図示しない電力系統から交流電力を受電（買電）することが可能であり、電力系統に逆潮流（売電）することが可能に構成されていてもよい。パワーコンディショナ１０の詳細な構成については後述する。
【００１４】
太陽電池２０は、結晶型太陽電池、多結晶型太陽電池または薄膜型太陽電池などで構成される。太陽電池２０にパワーコンディショナ１０の接続端子５０を介してＤＣ／ＤＣ変換器１１０が接続されており、ＤＣ／ＤＣ変換器１１０は、太陽電池から受ける直流電力を電圧変換する。ＤＣ／ＤＣ変換器１１０は、たとえば、太陽電池２０から最大の電力を取得できるような制御（いわゆる最大電力点追従制御）を行なう。なお、太陽電池２０は、実施の形態１（および後述する全ての実施の形態）に従う「直流電力源」の一例である。実施の形態１に従う「直流電力源」は、直流電力を供給する電力源であれば太陽電池２０に特に限定されない。実施の形態１に係る直流電力源は、たとえば燃料電池、風力発電装置、蓄電池、電気自動車、プラズマ発電装置など直流電力を発生するものであればよく、特に限定されるものではない。また、これらの組み合わせでもよい。
【００１５】
蓄電装置３０は、再充電可能な電力貯蔵要素であり、代表的にリチウムイオン電池やニッケル水素電池などの二次電池で構成される。蓄電装置３０は、複数の電池セルを直列接続して構成されている。家電機器４０は、たとえば、家庭で使用される空調機、冷蔵庫、洗濯機、テレビ、照明装置またはパーソナルコンピュータのような電気機器である。なお、以下では、パワーコンディショナ１０に接続（結合）される蓄電装置３０を負荷部とも称する。負荷部は、蓄電装置３０に限られず、たとえば、その他の直流負荷、交流負荷などであってもよい。
【００１６】
ここで、パワーコンディショナ１０の構成を具体的に説明する。パワーコンディショナ１０は、直流バス１４０と、制御機器１００と、ＤＣ／ＤＣ変換器１１０と、電力変換器１２０とを含む。
【００１７】
直流バス１４０は、太陽電池２０から供給される直流電力を電力変換器１２０に伝達するための電力線である。直流バス１４０は、電力線対である正母線ＰＬおよび負母線ＮＬで構成される。
【００１８】
接続端子５０は、太陽電池２０とパワーコンディショナ１０とを電気的に接続するための「接続部」を構成する。接続端子５０に太陽電池２０が連結されることによって、太陽電池２０で発電された電力がパワーコンディショナ１０に供給される。
【００１９】
給電端子５２は、電力変換器１２０によって変換された電力を負荷部（ここでは、蓄電装置３０）に供給するための「給電部」を構成する。給電端子５２に蓄電装置３０が連結されることによって、蓄電装置３０に当該変換された電力が供給される。
【００２０】
制御機器１００は、パワーコンディショナ１０に接続されている負荷部（ここでは、蓄電装置３０）に供給する電力を制御する。制御機器１００は、制御中枢としての制御回路、負荷部（蓄電装置３０）またはその他の外部機器と通信するための通信回路を含む。なお、制御機器１００は、回路等のハードウェア構成であってもよいし、図示しないＣＰＵ（Central Processing Unit）を含み、ＣＰＵがメモリに格納されたプログラムを実行することによって実現される構成であってもよい。
【００２１】
ＤＣ／ＤＣ変換器１１０は、接続端子５０を介して太陽電池２０から受けた直流電力を予め定められた電圧に電圧変換して直流バス１４０に電力を供給する。
【００２２】
電力変換器１２０は、直流バス１４０から受けた直流電力を電力変換して、その変換された電力を蓄電装置３０に供給可能に構成されている。電力変換器１２０は、制御機器１００からの指示を受け付けて、蓄電装置３０の定格電圧に基づいて電力変換を実行し、蓄電装置３０に変換された電力を供給する。電力変換器１２０は、交流および直流両用の電力変換装置であり、電気信号入力に応じてインバータ動作と直流電源動作とに切り替え可能に構成されている。たとえば、電力変換器１２０は、蓄電装置３０の定格電圧が交流２００Ｖの場合、交流２００Ｖの電力を蓄電装置３０に供給し、定格電圧が直流１００Ｖの場合、直流１００Ｖの電力を蓄電装置３０に供給する。すなわち、電力変換器１２０は、負荷部（蓄電装置３０）の電源仕様（直流および交流、電圧の大きさ）に適した電力を負荷部に供給する。ここで、図２を参照して、電力変換器１２０の概略構成について説明する。
【００２３】
図２は、実施の形態１に従う電力変換器１２０の概略構成の一例を示す図である。図２を参照して、電力変換器１２０は、電力変換部６０と、連系リアクトル６２、６３と、電圧検出部６６と、変換制御部６４とを含む。なお、上述した電力変換器１２０の概略構成は、後述する実施の形態でも同様である。
【００２４】
電力変換部６０は、変換制御部６４からの駆動信号ＤＲＶ１に基づいて、直流バス１４０から受けた直流電力を交流電力（または直流電力）に変換して蓄電装置３０に電力を供給する。
【００２５】
具体的には、電力変換部６０は、スイッチング素子であるトランジスタＱ１〜Ｑ４と、ダイオードＤ１〜Ｄ４とを含む。トランジスタＱ１，Ｑ２は、直流バス１４０を構成する正母線ＰＬおよび負母線ＮＬの間に直列に接続される。トランジスタＱ１とトランジスタＱ２との中間点は連系リアクトル６２に接続される。
【００２６】
トランジスタＱ３，Ｑ４は、正母線ＰＬおよび負母線ＮＬの間に直列に接続される。トランジスタＱ３とトランジスタＱ４との中間点は連系リアクトル６３に接続される。各トランジスタＱ１〜Ｑ４のコレクタ−エミッタ間には、エミッタ側からコレクタ側へ電流を流すダイオードＤ１〜Ｄ４がそれぞれ接続されている。トランジスタＱ１〜Ｑ４およびダイオードＤ１〜Ｄ４は、フルブリッジ回路を構成する。なお、トランジスタＱ１〜Ｑ４として、例えば、ＩＧＢＴ（Insulated-Gate  Bipolar  Transistors）または、パワーＭＯＳＦＥＴ（metal-oxide-semiconductor  field-effect  transistor）等の電力スイッチング素子を用いてもよい。なお、回路構成はフルブリッジ型に限られず、たとえば、２つのハーフブリッジを用いる回路構成などであってもよい。
【００２７】
電圧検出部６６は、蓄電装置３０の出力側の２線間に接続され、電力変換部６０および蓄電装置３０の間で授受される電力の電圧Ｖｃを検出し、その検出結果を変換制御部６４へ出力する。
【００２８】
電力変換部６０は、電圧検出部６６から受けた電圧Ｖｃと、制御機器１００からの制御信号とに基づいて、トランジスタＱ１〜Ｑ４のオン・オフを制御するための駆動信号ＤＲＶ１を生成し、電力変換部６０を制御する。具体的には、制御機器１００からの制御信号に基づく電圧の種類（交流または直流）で、蓄電装置３０の出力電圧Ｖｃが制御信号に基づく電圧目標値Ｖｃ＊に一致するように電力変換部６０における電力変換動作が制御される。
【００２９】
＜制御機器の機能構成＞
図３は、実施の形態１に従う制御機器１００の機能ブロック図である。図３を参照して、制御機器１００は、その主たる機能構成として、通信部２０２と、指示部２０４とを含む。
【００３０】
通信部２０２は、負荷部（蓄電装置３０）の定格電圧を示す定格電圧情報をパワーコンディショナ１０の外部から受信する。具体的には、通信部２０２は、蓄電装置３０の定格電圧情報を当該蓄電装置３０から受信する。また、通信部２０２は、蓄電装置３０に関連付けられ、蓄電装置３０の定格電圧情報を記憶する外部機器から受信してもよい。たとえば、外部機器は、蓄電装置３０のプラグと電力線との間に配置されて消費電力を測定する測定器などが想定される。あるいは、通信部２０２は、ネットワークを介して、蓄電装置３０の定格電圧情報を格納する外部サーバから蓄電装置３０の定格電圧情報を受信してもよい。この場合、通信部２０２は、蓄電装置３０の機種情報（機種ＩＤ、製造番号など）を外部サーバに送信することで、当該機種情報に関連付けられた定格電圧情報を外部サーバから受信してもよい。ここで、定格電圧情報は、電圧の種類（交流または直流）を示す情報（すなわち、負荷部が直流負荷なのか交流負荷なのかを示す情報）と、定格電圧の大きさ（定格電圧値）とを含む。
【００３１】
通信方式としては、有線ＬＡＮ（Local  Area  Network）、またはＰＬＣ（Power  Line  Communications）による有線通信であってもよいし、無線ＬＡＮによる無線通信であってもよい。負荷部、外部機器および外部サーバは、図示しない通信インターフェイスを含み、制御機器１００と通信可能に構成される。通信部２０２が、定格電圧情報を受信するタイミングは、いわゆるプッシュ型と言われる、予め規定された時間間隔、または電源が投入されてから予め規定された時間後などのタイミングであってもよいし、いわゆるプル型といわれる、制御機器１００から送信要求を受けたことによるタイミングであってもよい。
【００３２】
指示部２０４は、通信部２０２によって受信された負荷部の定格電圧情報に基づいて電力変換を行なうように電力変換器１２０に指示する。具体的には、指示部２０４は、直流バス１４０からの直流電力の電圧を負荷部の定格電圧に変換して、当該変換された電圧の電力を負荷部に供給するように電力変換器１２０に指示する。詳細には、指示部２０４は、定格電圧情報が示す電圧の種類（直流または交流）および電圧の大きさとを示す制御信号を電力変換器１２０に送信することにより、当該電圧の種類（直流または交流）および当該電圧の大きさで電力変換を実行するように指示する。たとえば、指示部２０４は、負荷部の定格電圧情報が直流２００Ｖであれば、直流２００Ｖの電力を供給するように電力変換器１２０に指示する。
【００３３】
＜制御機器の制御方式＞
図４は、実施の形態１に従う制御機器１００による制御を説明するためのフローチャートである。図４を参照して、たとえば、蓄電装置３０の電源投入時に以下の一連の処理が開始される。
【００３４】
制御機器１００は、通信回路などの通信インターフェイスを介して、蓄電装置３０などの外部装置から蓄電装置３０の定格電圧情報を受信（取得）したか否かを判断する（ステップＳ１０）。制御機器１００は、当該定格電圧情報を受信していない場合には（ステップＳ１０においてＮＯ）、ステップＳ１０からの処理を繰り返す。これに対して、制御機器１００は、当該定格電圧情報を受信した場合には（ステップＳ１０においてＹＥＳ）、制御信号を電力変換器１２０に送信することで、蓄電装置３０の定格電圧に基づいて電力変換を実行し、変換された電力を蓄電装置３０に供給するように指示する（ステップＳ１２）。そして、制御機器１００は、処理を終了する。
【００３５】
実施の形態１によると、パワーコンディショナは、負荷部などから送信された定格電圧情報を受信して当該定格電圧情報に基づいて電力変換を行なう。負荷部の定格電圧に適した電圧で自動的に電力変換が実行されるとともに、ユーザの誤設定を回避することが可能となる。そのため、負荷部には定格に応じた電力が確実に供給されるため、負荷部に対して誤った電圧を印加されるのを防止することができ、負荷部の故障などを回避することができる。また、定格電圧が高い蓄電装置などを充電する場合には、当該定格電圧に応じた電力が供給されるため、より早く充電することが可能となる。そのため、日中などに一日の発電時間が限られている太陽電池２０から供給される電力を無駄にすることがない。
【００３６】
［実施の形態２］
＜全体構成＞
図５は、実施の形態２に従うパワーコンディショナが適用される電力供給システム１１００の全体の構成を概略的に示す図である。図５を参照して、電力供給システム１１００は、制御機器１００がユーザからの入力を受け付け可能に構成されている点で図１に示した電力供給システム１０００と異なる。電力供給システム１１００の他の構成は、電力供給システム１０００の構成と同等であるため、その詳細な説明は繰り返さない。
【００３７】
＜制御機器の機能構成＞
図６は、実施の形態２に従う制御機器１００の機能ブロック図である。図６を参照して、制御機器１００は、その主たる機能構成として、通信部２０２と、指示部２０４と、入力部２０６と、一致判断部２０８と、報知部２１０とを含む。実施の形態２に従う制御機器１００は、入力部２０６、一致判断部２０８、および報知部２１０をさらに含む点において、図３に示した実施の形態１に従う制御機器１００と異なる。
【００３８】
通信部２０２は、図３（実施の形態１）で示した通信部２０２と同様であるため、その詳細な説明は繰り返さない。
【００３９】
入力部２０６は、ユーザ操作により負荷部の定格電圧情報の入力を受け付ける。具体的には、入力部２０６は、ユーザからの入力を受け付けるためのタッチパネル、ボタン、キーボードなどで実現される機能である。これにより、ユーザは、確認した蓄電装置３０の定格電圧情報を制御機器１００に直接入力することが可能となる。
【００４０】
一致判断部２０８は、通信部２０２により受信された定格電圧情報（以下「第１の定格電圧情報」とも称す。）と、入力部２０６により受け付けられた定格電圧情報（以下「第２の定格電圧情報」とも称す。）とが一致しているか否かを判断する。具体的には、一致判断部２０８は、蓄電装置３０、外部サーバなどから受信した第１の定格電圧情報と、ユーザにより直接入力された第２の定格電圧情報とが一致するか否かを判断する。そして、一致判断部２０８は、第１および第２の定格電圧情報が一致する場合には、エラーなし（正常）と判断し、当該判断結果を指示部２０４に送出する。一方、一致判断部２０８は、第１および第２の定格電圧情報が一致しない場合には、エラーありと判断し、当該判断結果を報知部２１０に送出する。なお、本実施の形態において「一致」とは、第１および第２の定格電圧情報とが完全に一致することのみならず、互いの電圧値の一致度合いが一定の範囲内（たとえば、誤差が１Ｖ未満）である場合を含む。一致判断部２０８が用いる当該一定の範囲内は、設定することが可能であり、その設定に係る情報の全部または一部を入力部２０６から与えられるようにしてもよい。
【００４１】
指示部２０４は、一致判断部２０８により第１および第２の定格電圧情報とが一致すると判断された場合に、直流バス１４０からの直流電力を当該一致する定格電圧情報に基づく電力に変換して、当該変換された電力を蓄電装置３０に供給するように電力変換器１２０に指示する。すなわち、第１および第２の定格電圧情報が一致しない場合には、指示部２０４により電力変換器１２０に対して電力変換の指示が与えられない。そのため、電力変換器１２０により電力変換が実行されず蓄電装置３０に対して電力は供給されない。
【００４２】
報知部２１０は、第１および第２の定格電圧情報が一致しない場合には、エラーを報知する。具体的には、報知部２１０がエラーを報知する方法としては、エラー報知灯（図示せず）を点灯させる、警報音を発生させる、または制御機器１００の表示部（図示せず）に「蓄電装置の定格電圧を確認して下さい！！」といったエラーメッセージを表示させるなどの方法を採ることができる。
【００４３】
なお、制御機器１００は、報知部２１０を含まない構成であってもよい。つまり、当該構成の場合、制御機器１００は、第１および第２の定格電圧情報が一致しない場合でも、報知動作を行なわない。
【００４４】
＜制御機器の制御方式＞
図７は、実施の形態２に従う制御機器１００による制御を説明するためのフローチャートである。図７を参照して、たとえば、蓄電装置３０の電源投入時に以下の一連の処理が開始される。
【００４５】
ステップＳ２０の処理は、図４のステップＳ１０の処理と同様であるため、その詳細な説明は繰り返さない。制御機器１００は、通信回路などの通信インターフェイスを介して、蓄電装置３０などの外部装置から蓄電装置３０の定格電圧情報を受信した場合には（ステップＳ２０においてＹＥＳ）、ボタンなどを介してユーザからの入力を受け付けたか否かを判断する（ステップＳ２２）。
【００４６】
制御機器１００は、ユーザからの入力を受け付けていない場合には（ステップＳ２２においてＮＯ）、ステップＳ２２の処理を繰り返す。これに対して、制御機器１００は、ユーザからの入力を受け付けた場合には（ステップＳ２２においてＹＥＳ）、エラーがあるか否かを判断する（ステップＳ２４）。具体的には、制御機器１００は、外部装置（蓄電装置３０または外部サーバなど）から受信した第１の定格電圧情報と、ユーザにより入力された第２の定格電圧情報とが一致する場合にはエラーなしと判断し、第１および第２の定格電圧情報が一致しない場合にはエラーありと判断する。
【００４７】
制御機器１００は、エラーなし（第１および第２の定格電圧情報が一致）と判断した場合には（ステップＳ２４においてＮＯ）、制御信号を電力変換器１２０に送信することで、当該一致した定格電圧情報に基づいて電力変換を実行し、変換された電力を蓄電装置３０に供給するように指示する（ステップＳ２６）。そして、制御機器１００は、処理を終了する。これに対して、制御機器１００は、エラーあり（第１および第２の定格電圧情報が不一致）と判断した場合には（ステップＳ２４においてＹＥＳ）、エラーをユーザに報知する（ステップＳ２８）。この場合、制御機器１００は、制御信号を電力変換器１２０に送信しない。そして、制御機器１００は、処理を終了する。
【００４８】
なお、上記において、ステップＳ２０およびステップＳ２２の処理は、ステップＳ２２、ステップＳ２０の順で処理されてもよいし、並行して処理されてもよい。
【００４９】
実施の形態２によると、パワーコンディショナは、受信した定格電圧情報とユーザが入力した定格電圧情報とを比較して、これらが一致した場合に限り電力変換を実行するため、安全性をより高めることが可能となる。
【００５０】
［実施の形態３］
＜全体構成＞
図８は、実施の形態３に従うパワーコンディショナが適用される電力供給システム１２００の全体の構成を概略的に示す図である。図８を参照して、電力供給システム１２００は、パワーコンディショナ１０が開閉器１３０および１３２をさらに含む点において、図１に示した電力供給システム１０００と異なる。電力供給システム１２００の他の構成は、電力供給システム１０００の構成と同等であるため、その詳細な説明は繰り返さない。
【００５１】
開閉器１３０および１３２は、たとえば直流リレー、直流ブレーカー、またはパワーＭＯＳＦＥＴ等の電力スイッチング素子である。開閉器１３０は、直流バス１４０と電力変換器１２０との間に設けられている。開閉器１３０は、制御機器１００からの接続信号（論理ハイ）に応答して電力変換器１２０を直流バス１４０に接続し、制御機器１００からの遮断信号（論理ロー）に応答して直流バス１４０から電力変換器１２０を切り離す。開閉器１３２は、直流バス１４０と負荷部（蓄電装置３０）との間に設けられている。開閉器１３２は、制御機器１００からの接続信号（論理ハイ）に応答してＤＣ／ＤＣ変換器１１０を直流バス１４０に接続し、制御機器１００からの遮断信号（論理ロー）に応答して直流バス１４０からＤＣ／ＤＣ変換器１１０を切り離す。
【００５２】
＜制御機器の機能構成＞
図９は、実施の形態３に従う制御機器１００の機能ブロック図である。図９を参照して、制御機器１００は、その主たる機能構成として、通信部２０２と、指示部２０４と、記憶部２１２と、判断部２１４と、接続制御部２１６とを含む。実施の形態３に従う制御機器１００は、記憶部２１２と、判断部２１４と、接続制御部２１６をさらに含む点において、図３に示した実施の形態１に従う制御機器１００と異なる。
【００５３】
通信部２０２は、図３（実施の形態１）で示した通信部２０２と同様であるため、その詳細な説明は繰り返さない。
【００５４】
記憶部２１２は、ＤＣ／ＤＣ変換器１１０が直流バス１４０に出力する電力の電圧値を示す出力電圧情報を記憶する。具体的には、電圧情報は、ＤＣ／ＤＣ変換器１１０が太陽電池２０から受けた電力の電圧を変換するときに目標とする電圧値である。記憶部２１２は、たとえば、制御機器１００が備えるＲＡＭ、ＲＯＭなどのメモリによって実現される。
【００５５】
判断部２１４は、記憶部２１２に記憶された出力電圧情報と、通信部２０２により受信された定格電圧情報とに基づいて、ＤＣ／ＤＣ変換器１１０の出力電圧と、負荷部（蓄電装置３０）の定格電圧とが一致するか否かを判断する。具体的には、判断部２１４は、蓄電装置３０が直流負荷であり、かつ定格電圧の大きさ（定格電圧値）がＤＣ／ＤＣ変換器１１０の出力電圧の大きさ（出力電圧値）と一致するか否かを判断する。なお、本実施の形態において、定格電圧値と出力電圧値とが「一致する」とは、ＤＣ／ＤＣ変換器１１０の出力電圧値、負荷部（蓄電装置３０）の定格電圧値とが完全に一致することのみならず、互いの電圧値の一致度合いが一定の範囲内（たとえば、誤差が１Ｖ未満）である場合を含む。当該一定の範囲内は、ユーザによって任意に定めることが可能である。
【００５６】
接続制御部２１６は、判断部２１４によりＤＣ／ＤＣ変換器１１０の出力電圧と蓄電装置３０の定格電圧とが一致すると判断された場合に、直流バス１４０から電力変換器１２０を切り離すように開閉器１３０を制御し、直流バス１４０と蓄電装置３０とを接続させるように開閉器１３２を制御する。具体的には、接続制御部２１６は、遮断信号（ＯＦＦ信号）を開閉器１３０に出力し、直流バス１４０と蓄電装置３０とを接続させる接続信号（ＯＮ信号）を開閉器１３２に出力する。ただし、現時点で開閉器１３０および開閉器１３２が開状態（ＯＦＦ状態）である場合には、接続信号（ＯＮ信号）を開閉器１３２に出力するのみでよい。つまり、現時点での開閉器１３０および１３２の開閉状態を考慮して、各々の開閉器に接続信号または遮断信号を出力すればよい。このとき、ＤＣ／ＤＣ変換器１１０から直流バス１４０に供給された電力が、電力変換器１２０を介さずに蓄電装置３０に直接供給される。
【００５７】
一方、接続制御部２１６は、判断部２１４によりＤＣ／ＤＣ変換器１１０の出力電圧と蓄電装置３０の定格電圧とが一致しないと判断された場合に、ＤＣ／ＤＣ変換器１１０と電力変換器１２０とを接続させるように開閉器１３０を制御し、直流バス１４０から蓄電装置３０を切り離すように開閉器１３２を制御する。具体的には、接続制御部２１６は、接続信号（ＯＮ信号）を開閉器１３０に出力し、遮断信号（ＯＦＦ信号）を開閉器１３２に出力する。なお、この場合も、現時点での開閉器１３０および１３２の開閉状態を考慮して、各々の開閉器に接続信号または遮断信号を出力すればよい。
【００５８】
指示部２０４は、判断部２１４によりＤＣ／ＤＣ変換器１１０の出力電圧と蓄電装置３０の定格電圧とが一致しないと判断された場合には、直流バス１４０からの直流電力を通信部２０２により受信された蓄電装置３０の定格電圧情報に基づいて電力変換を行なうように電力変換器１２０に指示する。判断部２１４によりＤＣ／ＤＣ変換器１１０の出力電圧と蓄電装置３０の定格電圧とが一致すると判断された場合には、指示部２０４により電力変換器１２０に対して電力変換の指示が与えられない。そのため、電力変換器１２０により電力変換が実行されない。これは、ＤＣ／ＤＣ変換器１１０から直流バス１４０に供給される電力は、電力変換器１２０を介すことなく蓄電装置３０に直接供給されるためである。
【００５９】
＜制御機器の制御方式＞
図１０は、実施の形態３に従う制御機器１００による制御を説明するためのフローチャートである。図１０を参照して、たとえば、蓄電装置３０の電源投入時に以下の一連の処理が開始される。ここでは、制御機器１００は、開閉器１３０および１３２の開閉状態が不明であり、いずれの開閉器にも接続信号または遮断信号を出力するものとする。
【００６０】
ステップＳ３０の処理は、図４のステップＳ１０の処理と同様であるため、その詳細な説明は繰り返さない。制御機器１００は、通信回路などの通信インターフェイスを介して、蓄電装置３０などの外部装置から蓄電装置３０の定格電圧情報を受信した場合には（ステップＳ３０においてＹＥＳ）、ＤＣ／ＤＣ変換器１１０の出力電圧と蓄電装置３０の定格電圧とが一致するか否かを判断する（ステップＳ３２）。
【００６１】
ＤＣ／ＤＣ変換器１１０の出力電圧と蓄電装置３０の定格電圧とが一致する場合には（ステップＳ３２においてＹＥＳ）、制御機器１００は、直流バス１４０から電力変換器１２０を切り離す遮断信号（ＯＦＦ信号）を開閉器１３０に出力し、直流バス１４０と蓄電装置３０とを接続させる接続信号（ＯＮ信号）を開閉器１３２に出力する（ステップＳ３４）。そして、制御機器１００は、処理を終了する。このとき、ＤＣ／ＤＣ変換器１１０から直流バス１４０に供給される電力が、電力変換器１２０を介すことなく蓄電装置３０に直接供給される。
【００６２】
これに対して、ＤＣ／ＤＣ変換器１１０の出力電圧と蓄電装置３０の定格電圧とが一致しない場合には（ステップＳ３２においてＮＯ）、制御機器１００は、直流バス１４０と電力変換器１２０とを接続させる接続信号（ＯＮ信号）を開閉器１３０に出力し、直流バス１４０から蓄電装置３０を切り離す遮断信号（ＯＦＦ信号）を開閉器１３２に出力する（ステップＳ３６）。続いて、制御機器１００は、制御信号を電力変換器１２０に送信することで、受信した定格電圧情報に基づいて電力変換を実行し、変換された電力を蓄電装置３０に供給するように指示する（ステップＳ３８）。そして、制御機器１００は、処理を終了する。
【００６３】
実施の形態３によると、負荷部の定格電圧がＤＣ／ＤＣ変換器の出力電圧と同じ場合には、電力変換器を介さずに電力が負荷部に供給されることから電力変換器による電力損失がなくなり、直流電力源の供給電力をより有効に活用することができる。
【００６４】
［実施の形態４］
実施の形態３では、制御機器１００は、受信した蓄電装置３０が直流負荷であり、かつ定格電圧値がＤＣ／ＤＣ変換器１１０の出力電圧値と一致しているときに、電力変換器１２０を介さずにＤＣ／ＤＣ変換器１１０から直流バス１４０を介して電力を蓄電装置３０に供給する実施形態について説明した。実施の形態４は実施の形態３の変形例であり、制御機器１００が蓄電装置３０が直流負荷である場合には、ＤＣ／ＤＣ変換器１１０の出力電圧値を定格電圧値に合わせるように制御する形態について説明する。
【００６５】
＜全体構成＞
実施の形態４に従うパワーコンディショナが適用される電力供給システムの全体構成は、制御機器１００がＤＣ／ＤＣ変換器１１０に対して制御信号を送信する点について、図８に示す電力供給システム１２００の全体構成と異なる。実施の形態４（実施の形態３の変形例）に従う電力供給システムの他の構成は、実施の形態３に従う電力供給システム１２００の構成と同等であるため、その詳細な説明は繰り返さない。
【００６６】
＜制御機器の機能構成＞
実施の形態４に従う制御機器１００の機能ブロックは、図９で示した実施の形態３に従う制御機器１００の機能ブロックと同様であるため、図９を参照して、実施の形態４に従う制御機器１００の機能構成について説明する。
【００６７】
通信部２０２および記憶部２１２は、上述した実施の形態３に従う通信部２０２および記憶部２１２と同様であるため、その詳細な説明は繰り返さない。
【００６８】
判断部２１４は、記憶部２１２に記憶された出力電圧情報と、通信部２０２により受信された定格電圧情報とに基づいて、負荷部（蓄電装置３０）が直流負荷か否かを判断する。具体的には、判断部２１４は、出力電圧の電圧の種類（直流）と、定格電圧の電圧の種類（直流または交流）とが一致するか否かを判断する。つまり、判断部２１４は、定格電圧の電圧の種類が直流であるか否かを判断する。なお、判断部２１４は、定格電圧情報のみから当該判断を行なう場合であってもよい。
【００６９】
接続制御部２１６は、判断部２１４により蓄電装置３０が直流負荷ではないと判断された場合には、ＤＣ／ＤＣ変換器１１０と電力変換器１２０とを接続するように開閉器１３０を制御し、直流バス１４０から蓄電装置３０を切り離すように開閉器１３２を制御する。一方、接続制御部２１６は、判断部２１４により蓄電装置３０が直流負荷であると判断された場合に、直流バス１４０から電力変換器１２０を切り離すように開閉器１３０を制御し、直流バス１４０と蓄電装置３０とを接続させるように開閉器１３２を制御する。なお、現時点での開閉器１３０および１３２の開閉状態を考慮して、各々の開閉器に接続信号または遮断信号を出力すればよい点は上述のとおりである。
【００７０】
指示部２０４は、判断部２１４により蓄電装置３０が直流負荷であると判断された場合には、直流バス１４０からの直流電力を通信部２０２により受信された蓄電装置３０の定格電圧情報に基づいて電力変換するようにＤＣ／ＤＣ変換器１１０に指示する。具体的には、指示部２０４は、蓄電装置３０に定格電圧値を目標値として電圧変換を実行するようにＤＣ／ＤＣ変換器１１０に指示する。開閉器１３０が開状態、開閉器１３２が閉状態となっているため、ＤＣ／ＤＣ変換器１１０によって定格電圧値に基づく直流電力に変換され、当該電力が直流バス１４０を介して蓄電装置３０に供給される。
【００７１】
＜制御機器の制御方式＞
図１１は、実施の形態４に従う制御機器１００による制御を説明するためのフローチャートである。図１１を参照して、たとえば、蓄電装置３０の電源投入時に以下の一連の処理が開始される。ここでは、実施の形態３と同様に制御機器１００は、開閉器１３０および１３２の開閉状態が不明であり、いずれの開閉器にも接続信号または遮断信号を出力するものとする。
【００７２】
ステップＳ４０の処理は、図４のステップＳ１０の処理と同様であるため、その詳細な説明は繰り返さない。制御機器１００は、制御機器１００は、通信回路などの通信インターフェイスを介して、蓄電装置３０などの外部装置から蓄電装置３０の定格電圧情報を受信した場合には（ステップＳ４０においてＹＥＳ）、通信部２０２により受信された蓄電装置３０の定格電圧情報に基づいて、蓄電装置３０が直流負荷であるか否かを判断する（ステップＳ４２）。
【００７３】
蓄電装置３０が直流負荷でない場合には（ステップＳ４２においてＮＯ）、制御機器１００は、ステップＳ４８およびステップＳ４９の処理を実行して処理を終了する。ステップＳ４８およびステップＳ４９の処理は、それぞれ図１０のステップＳ３６およびステップＳ３８の処理と同様であるため、その詳細な説明は繰り返さない。
【００７４】
これに対して、蓄電装置３０が直流負荷である場合には（ステップＳ４２においてＹＥＳ）、制御機器１００は、直流バス１４０から電力変換器１２０を切り離す遮断信号（ＯＦＦ信号）を開閉器１３０に出力し、直流バス１４０と蓄電装置３０とを接続させる接続信号（ＯＮ信号）を開閉器１３２に出力する（ステップＳ４４）。制御機器１００は、直流バス１４０からの直流電力を蓄電装置３０の定格電圧値に基づく直流電力に変換するようにＤＣ／ＤＣ変換器１１０に指示する（ステップＳ４６）。そして、制御機器１００は、処理を終了する。
【００７５】
実施の形態４によると、負荷部が直流負荷の場合には、電力変換器１２０を介さないＤＣ／ＤＣ変換器１１０のみでの電力変換が可能となるため、ＤＣ／ＤＣ変換器１１０および電力変換器１２０を用いる電力変換よりも電力損失が小さく有利となる。
【００７６】
［実施の形態５］
図１２は、実施の形態５に従うパワーコンディショナが適用される電力供給システム１３００の全体の構成を概略的に示す図である。図１２を参照して、電力供給システム１３００は、パワーコンディショナ１０が電力変換器１５０および給電端子５４をさらに含み、蓄電装置３０とは異なる他の負荷部（家電機器４０）が給電端子５４に接続されている点において、図１に示した実施の形態１に従う電力供給システム１０００と異なる。電力供給システム１３００の他の構成は、電力供給システム１０００の構成と同等であるため、その詳細な説明は繰り返さない。なお、パワーコンディショナ１０が電力変換器１５０および給電端子５４をさらに含む構成は、上述の実施の形態２〜４において採用される場合であってもよい。
【００７７】
電力変換器１５０は、直流バス１４０と他の負荷部（家電機器４０）との間に設けられ、直流バス１４０からの直流電力を予め定められた電力に変換する。つまり、給電端子５４に連結される他の負荷部は、電力変換器１５０が変換する電力に適した電源仕様の負荷部である。たとえば、電力変換器１５０が直流バス１４０から供給された直流電力をＡＣ１００Ｖの電力に変換するように予め設定されている場合には、ＡＣ１００Ｖの電源仕様の家電機器４０が給電端子５４に接続される。電力変換器１５０は、たとえば、図２に示したような電力変換器１２０と同様の回路構成を有する。
【００７８】
給電端子５４は、電力変換器１５０によって変換された電力を家電機器４０を供給するための「給電部」を構成する。給電端子５４に家電機器４０が連結されることによって、家電機器４０に当該変換された電力が供給される。
【００７９】
実施の形態５によると、供給される電力を調整可能な給電端子５２には、専用の電源仕様を有する負荷部を接続し、供給される電力が固定の給電端子５４には、一般的な電源仕様の負荷部を接続することで、直流電力源から供給される電力を有効に活用することができる。
【００８０】
［実施の形態６］
図１３は、実施の形態６に従うパワーコンディショナが適用される電力供給システム１４００の全体の構成を概略的に示す図である。図１３を参照して、電力供給システム１４００は、電力変換器１５０が電力変換器１２０と家電機器４０との間に設けられている点において、図１２に示した電力供給システム１３００と異なる。電力供給システム１４００の他の構成は、電力供給システム１３００の構成と同等であるため、その詳細な説明は繰り返さない。なお、家電機器４０は、蓄電装置、その他の直流負荷、交流負荷であってもよい。
【００８１】
電力変換器１５０は、電力変換器１２０と他の負荷部（家電機器４０）との間に設けられ、電力変換器１２０からの電力を予め定められた電力に変換する。上述のように、電力変換器１２０は、蓄電装置３０の定格電圧情報に基づいて電力変換を行なうことから、電力変換器１５０には、当該変換された電力が供給される。電力変換器１５０は、当該供給された電力を予め定められた電力（たとえば、ＡＣ１００Ｖ）に変換する。
【００８２】
実施の形態６によると、供給される電力を調整可能な給電端子５２には、専用の電源仕様を有する負荷部を接続し、供給される電力が固定の給電端子５４には、一般的な電源仕様の負荷部を接続することで、直流電力源から供給される電力を有効に活用することができる。
【００８３】
［実施の形態７］
＜全体構成＞
図１４は、実施の形態７に従うパワーコンディショナが適用される電力供給システム１５００の全体の構成を概略的に示す図である。図１４を参照して、電力供給システム１５００は、パワーコンディショナ１０の制御機器１００が蓄電装置３０および家電機器４０から、それぞれの定格電圧情報を受信して、各々の定格電圧情報に基づいて電力変換器１２０および電力変換器１５０を制御する点において、図１２に示した電力供給システム１３００と異なる。電力供給システム１５００の他の構成は、電力供給システム１３００の構成と同等であるため、その詳細な説明は繰り返さない。
【００８４】
電力変換器１２０は、直流バス１４０からの直流電力を電力変換して、当該変換された電力を蓄電装置３０に供給可能に構成されている。電力変換器１５０は、直流バス１４０からの直流電力を電力変換して、当該変換された電力を家電機器４０に供給可能に構成されている。
【００８５】
＜制御機器の機能構成＞
実施の形態７に従う制御機器１００の機能ブロックは、図３で示した実施の形態１に従う制御機器１００の機能ブロックと同様であるため、図３を参照して、実施の形態７に従う制御機器１００の機能構成について説明する。
【００８６】
通信部２０２は、第１の負荷部（蓄電装置３０）の定格電圧を示す第１の定格電圧情報と、第２の負荷部（家電機器４０）の定格電圧を示す第２の定格電圧情報とを外部から受信する。具体的には、通信部２０２は、蓄電装置３０から第１の定格電圧情報を受信し、家電機器４０から第２の定格電圧情報を受信する。なお、上述したように外部サーバ、測定器などからこれらの情報を受信してもよい。
【００８７】
指示部２０４は、直流バス１４０からの直流電力を第１の定格電圧情報に基づいて電力変換を行ない、当該変換された電力を蓄電装置３０に供給するように電力変換器１２０に指示する。また、指示部２０４は、直流バス１４０からの直流電力を第２の定格電圧情報に基づいて電力変換を行ない、当該変換された電力を家電機器４０に供給するように電力変換器１５０に指示する。
【００８８】
＜制御機器の制御方式＞
図１５は、実施の形態７に従う制御機器１００による制御を説明するためのフローチャートである。図１５を参照して、たとえば、蓄電装置３０の電源投入時に以下の一連の処理が開始される。
【００８９】
制御機器１００は、通信回路などの通信インターフェイスを介して蓄電装置３０および家電機器４０の定格電圧情報を受信したか否かを判断する（ステップＳ５０）。制御機器１００は、これらの定格電圧情報を受信していない場合には（ステップＳ５０においてＮＯ）、ステップＳ５０からの処理を繰り返す。これに対して、制御機器１００は、当該定格電圧情報を受信した場合には（ステップＳ５０においてＹＥＳ）、制御信号を電力変換器１２０に送信することにより、蓄電装置３０の定格電圧で電力変換を実行するように電力変換器１２０に指示するとともに、制御信号を電力変換器１５０に送信することにより、家電機器４０の定格電圧で電力変換を実行するように電力変換器１５０に指示する（ステップＳ５２）。そして、制御機器１００は、処理を終了する。
【００９０】
上記では、蓄電装置３０および家電機器４０の定格電圧情報を受信した場合に、電力変換器１２０および１５０に電力変換を実行するように指示する場合について説明したが、これに限られず、個別に電力変換を実行するように指示する場合であってもよい。たとえば、蓄電装置３０の定格電圧情報を受信し、家電機器４０の定格電圧情報を受信していない場合には、電力変換器１２０のみに電力変換を実行するように指示してもよい。
【００９１】
なお、図１４に示す実施の形態７の全体構成においてもパワーコンディショナ１０の制御機器１００が蓄電装置３０および家電機器４０から各々の定格電圧情報を受信して、各々の定格電圧情報に基づいて電力変換器１２０および電力変換器１５０を制御してもよい。ただし、この場合には、電力変換器１２０からの供給される電力には直流、交流が考えられるため、電力変換器１５０は、図２に示すような回路構成において公知の技術によりスイッチング動作を調整することで、ＤＣ／ＤＣ変換、ＤＣ／ＡＣ変換などの変換動作を行なうことができるように構成されていることが好ましい。
【００９２】
実施の形態７によると、複数の負荷部が接続され、それらの負荷部に適した電力を供給することが可能となり、直流電力源から供給される電力をより有効に活用することが可能となる。
【００９３】
［まとめ］
本発明の実施の形態は次のように要約することができる。
【００９４】
（１）蓄電装置３０と太陽電池２０との間に結合されるパワーコンディショナ１０であって、太陽電池２０からの直流電力が供給される直流バス１４０と、直流バス１４０からの直流電力を電力変換して、当該変換された電力を蓄電装置３０に供給可能に構成された電力変換器１２０と、蓄電装置３０への電力を制御する制御機器１００とを備え、制御機器１００は、蓄電装置３０の定格電圧を示す定格電圧情報を外部から受信するための通信部２０２と、通信部２０２によって受信された定格電圧情報に基づいて電力変換を行なうように電力変換器１２０に指示するための指示部２０４とを含む、パワーコンディショナ１０。
【００９５】
上記構成によると、蓄電装置３０の定格電圧に適した電圧で自動的に電力変換が実行されるとともに、ユーザによる誤設定を回避することが可能となり、蓄電装置３０の故障などを防止することができる。
【００９６】
（２）指示部２０４は、直流バス１４０からの直流電力の電圧を蓄電装置３０の定格電圧に変換して、当該変換された電圧の電力を蓄電装置３０に供給するように電力変換器１２０に指示する、パワーコンディショナ１０。
【００９７】
上記構成によると、直流電力の電圧が蓄電装置３０の定格電圧に変換されて、当該変換された電圧の電力が供給されるため、蓄電装置３０に対して誤った電圧が印加されるのを確実に防止することができ、蓄電装置３０の故障などを回避することができる。
【００９８】
（３）太陽電池２０からの直流電力を電圧変換して直流バス１４０に出力するためのＤＣ／ＤＣ変換器１１０と、直流バス１４０と電力変換器１２０との間に設けられた開閉器１３０と、直流バス１４０と蓄電装置３０との間に設けられた開閉器１３２とをさらに備え、制御機器１００は、ＤＣ／ＤＣ変換器１１０の出力電圧と、蓄電装置３０の定格電圧とが一致するか否かを判断するための判断部２１４と、ＤＣ／ＤＣ変換器１１０の出力電圧と蓄電装置３０の定格電圧とが一致する場合に、直流バス１４０から電力変換器１２０を切り離すように開閉器１３０を制御し、開閉器１３２に直流バス１４０と蓄電装置３０とを接続させるように開閉器１３２を制御する接続制御部２１６とをさらに含む、パワーコンディショナ１０。
【００９９】
上記構成によると、蓄電装置３０の定格電圧がＤＣ／ＤＣ変換器１１０の出力電圧と同じ場合には、電力変換器１２０を介さずに電力が蓄電装置３０に供給されることから電力変換器１２０による電力損失がなくなり、太陽電池２０の発電電力をより有効に活用することができる。
【０１００】
（４）接続制御部２１６は、ＤＣ／ＤＣ変換器１１０の出力電圧と蓄電装置３０の定格電圧とが一致しない場合に、直流バス１４０と電力変換器１２０とを接続させるように開閉器１３０を制御し、直流バス１４０から蓄電装置３０を切り離すように開閉器１３２を制御する、パワーコンディショナ１０。
【０１０１】
上記構成によると、蓄電装置３０の定格電圧がＤＣ／ＤＣ変換器１１０の出力電圧と異なる場合には、電力変換器１２０を介して蓄電装置３０の定格電圧に応じた電力が蓄電装置３０に供給されるため、太陽電池２０の発電電力を有効に活用することができる。
【０１０２】
（５）パワーコンディショナ１０は、家電機器４０をさらに接続可能に構成されており、直流バス１４０と家電機器４０との間に設けられ、直流バス１４０からの直流電力を予め定められた電力に変換して、当該変換された電力を家電機器４０に供給可能に構成された電力変換器１５０をさらに備える、パワーコンディショナ１０。
【０１０３】
上記構成によると、たとえば、供給される電力を調整可能な給電端子５２には、定格電圧の大きい蓄電装置３０を接続し、供給される電力が固定の給電端子５４には、一般的な家電機器４０を接続することで、太陽電池２０から供給される電力を有効に活用することができる。
【０１０４】
（６）パワーコンディショナ１０は、家電機器４０をさらに接続可能に構成されており、電力変換器１２０と他の蓄電装置３０との間に設けられ、電力変換器１２０からの電力を予め定められた電力に変換して、当該変換された電力を家電機器４０に供給可能に構成された他の電力変換器１２０をさらに備える、パワーコンディショナ１０。
【０１０５】
上記構成によると、たとえば、供給される電力を調整可能な給電端子５２には、定格電圧の大きい蓄電装置３０を接続し、供給される電力が固定の給電端子５４には、一般的な家電機器４０を接続することで、太陽電池２０から供給される電力を有効に活用することができる。
【０１０６】
（７）太陽電池２０を直流バス１４０に電気的に接続するための接続端子５０と、電力変換器１２０から蓄電装置３０に電力を供給するための給電端子５２、５４とをさらに備える、パワーコンディショナ１０。
【０１０７】
上記構成によれば、パワーコンディショナ内に接続端子５０と、給電端子５２、５４が配置されるため、パワーコンディショナの施工業者は接続端子５０および給電端子５２、５４を別途用意する必要がない。
【０１０８】
（８）制御機器１００は、ユーザ操作により蓄電装置３０の定格電圧情報の入力を受け付けるための入力部２０６と、通信部２０２により受け付けられた定格電圧情報と、入力部２０６により受け付けられた定格電圧情報とが一致しているか否かを判断するための一致判断部２０８と、通信部２０２により受け付けられた定格電圧情報と、入力部２０６により受け付けられた定格電圧情報とが一致しない場合に、エラーを報知するための報知部２１０とをさらに含む、パワーコンディショナ１０。
【０１０９】
上記構成によれば、パワーコンディショナ１０は、受信した定格電圧情報とユーザが入力した定格電圧情報とを比較して、これらが一致しない場合には、エラーが報知されるため、ユーザに注意喚起を促すことが可能となる。
【０１１０】
（９）指示部２０４は、通信部２０２により受信された定格電圧情報と、入力部２０６により受け付けられた定格電圧情報とが一致する場合に、直流バス１４０からの直流電力を当該一致した定格電圧情報に基づく電力に変換して、当該変換された電力を蓄電装置３０に供給するように電力変換器１２０に指示する、パワーコンディショナ１０。
【０１１１】
上記構成によれば、パワーコンディショナ１０は、受信した定格電圧情報とユーザが入力した定格電圧情報とを比較して、これらが一致した場合に限り電力変換を実行するため、安全性をより高めることが可能となる。
【０１１２】
（１０）負荷部は、電力を貯蔵可能に構成された蓄電池を含む、パワーコンディショナ１０。
【０１１３】
上記構成によれば、定格電圧の大きい蓄電池であっても、当該定格電圧に適した電力が供給されるため、より早く蓄電池を充電することが可能となる。
【０１１４】
（１１）蓄電装置３０および家電機器４０と太陽電池２０との間に結合されたパワーコンディショナ１０であって、太陽電池２０からの直流電力が供給される直流バス１４０と、直流バス１４０からの直流電力を電力変換して、当該変換された電力を蓄電装置３０に供給可能に構成された電力変換器１２０と、直流バス１４０からの直流電力を電力変換して、当該変換された電力を家電機器４０に供給可能に構成された電力変換器１５０と、蓄電装置３０および家電機器４０への電力を制御するための制御機器１００とを備え、制御機器１００は、蓄電装置３０の定格電圧を示す第１の定格電圧情報と、家電機器４０の定格電圧を示す第２の定格電圧情報とを外部から受信するための通信部２０２と、直流バス１４０からの直流電力を第１の定格電圧情報に基づく電力に変換して、当該変換された電力を蓄電装置３０に供給するように電力変換器１２０に指示し、直流バス１４０からの直流電力を第２の定格電圧情報に基づく電力に変換して、当該変換された電力を家電機器４０に供給するように電力変換器１５０に指示するための指示部２０４とを含む、パワーコンディショナ１０。
【０１１５】
上記構成によると、蓄電装置３０および家電機器４０のそれぞれにに適した電力を供給することが可能となり、太陽電池２０から供給される発電電力をより有効に活用することが可能となる。
【０１１６】
（１２）蓄電装置３０と太陽電池２０との間に結合されるパワーコンディショナ１０の制御方法であって、パワーコンディショナ１０は、太陽電池２０からの直流電力が供給される直流バス１４０と、直流バス１４０からの直流電力を電力変換して、当該変換された電力を蓄電装置３０に供給可能に構成された電力変換器１２０とを備え、パワーコンディショナ１０の制御方法は、蓄電装置３０の定格電圧を示す定格電圧情報を外部から受信するステップＳ１０と、直流バス１４０からの直流電力を通信部２０２によって受信された定格電圧情報に基づく電力に変換して、当該変換された電力を蓄電装置３０に供給するように電力変換器１２０に指示するステップＳ１２とを含む、パワーコンディショナ１０の制御方法。
【０１１７】
上記構成によると、蓄電装置３０の定格電圧に適した電圧で自動的に電力変換が実行されるとともに、ユーザによる誤設定を回避することが可能となり、蓄電装置３０の故障などを防止することができる。
【０１１８】
なお、上述した実施の形態において、他の実施の形態で説明した処理や構成を適宜採用して実施する場合であってもよい。
【０１１９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１２０】
１０  パワーコンディショナ、２０  太陽電池、３０  蓄電装置、４０  家電機器、５０  接続端子、５２，５４  給電端子、６０  電力変換部、６２，６３  連系リアクトル、６４  変換制御部、６６  直流電圧検出部、１００  制御機器、１１０  ＤＣ／ＤＣ変換器、１２０，１５０  電力変換器、１３０，１３２  開閉器、１４０  直流バス、２０２  通信部、２０４  指示部、２０６  入力部、２０８  一致判断部、２１０  報知部、２１２  記憶部、２１４  判断部、２１６  接続制御部、１０００，１１００，１２００，１３００，１４００，１５００  電力供給システム。
【図１】
2015073354.tif 000003
【図２】
2015073354.tif 000004
【図３】
2015073354.tif 000005
【図４】
2015073354.tif 000006
【図５】
2015073354.tif 000007
【図６】
2015073354.tif 000008
【図７】
2015073354.tif 000009
【図８】
2015073354.tif 000010
【図９】
2015073354.tif 000011
【図１０】
2015073354.tif 000012
【図１１】
2015073354.tif 000013
【図１２】
2015073354.tif 000014
【図１３】
2015073354.tif 000015
【図１４】
2015073354.tif 000016
【図１５】
2015073354.tif 000017